(57)【要約】【課題】擁壁壁面の抗張部材取付構造において、盛土が沈下したときに、この盛土とともに沈下する抗張部材を下方に移動させ、壁面材に作用しようとする力を逃がし、補強土壁の構造が盛土の沈下により壁面材に設計以上の力が作用することを回避させ、壁面材の変形を防止するとともに、抗張部材の連結作業を簡単にすることにある。【解決手段】壁面材は、横方向に指向し且つ同一平面内に並列した複数の横線材に縦方向に指向し且つ互いに重ならないように並列した複数の縦線材を固着した溶接金網からなり、この溶接金網の縦線材には背面側に指向した取付具を摺動可能に設け、この取付具には連結具によって抗張部材を連結している。【選択図】図１
2005155133.tif 000002
【特許請求の範囲】
【請求項１】
擁壁壁面を形成する壁面材の背面側に抗張部材の一端側を取り付けて設け、この抗張部材の他端側を前記壁面材から離間する方向に展張して設け、前記壁面材の背面側に盛土を投入転圧して前記抗張部材を埋設する擁壁壁面の抗張部材取付構造において、前記壁面材は、横方向に指向し且つ同一平面内に並列した複数の横線材に縦方向に指向し且つ互いに重ならないように並列した複数の縦線材を固着した溶接金網からなり、この溶接金網の縦線材には背面側に指向した取付具を摺動可能に設け、この取付具には連結具によって前記抗張部材を連結して設けたことを特徴とする擁壁壁面の抗張部材取付構造。
【請求項２】
前記取付具は、一本の線材が所定に折曲して形成され、前記擁壁壁面の前方側から前記縦線材に係止される縦線材用係止部と、この縦線材用係止部に連設して背面側に延長する延長部と、この延長部に連設して前記抗張部材を係止する抗張部材用係止部とからなることを特徴とする請求項１に記載の擁壁壁面の抗張部材取付構造。
【発明の詳細な説明】
【技術分野】
【０００１】
この発明は、擁壁壁面の抗張部材取付構造に係り、特に盛土の沈下による壁面材の変形を防止する擁壁壁面の抗張部材取付構造に関するものである。
【背景技術】
【０００２】
盛土を使用した壁面材による補強土壁には、壁面材として枠材や土嚢を使用して、壁面材の背面側に盛土を投入して転圧し、この壁面材に一端側を連結した抗張部材の他端側を壁面材から離間する方向に展張して盛土中に埋設して構築するものがある。
【０００３】
従来、補強土壁の構造には、所定角度に折曲した斜面部と底面部とを有する網状部材からなる壁面材の斜面部に略水平方向に帯状部材を固着し、この帯状部材と底面部とをブレス部材により連絡し、壁面材の底面部に形成した鉤部に抗張部材の一端側を連結させた後に、壁面材の底面部上部に盛土を転圧するとともにブレス部材を盛土内に埋設して第１の土壌層を形成し、この第１の土壌層上部に第２以降の土壌層を順次に形成して補強土壁を構築するものがある。
【特許文献１】特許第３２１０７４５号公報
【発明の開示】
【発明が解決しようとする課題】
【０００４】
ところで、従来、補強土壁の構造においては、壁面材の底面部に形成した鉤部に抗張部材の一端側を連結させ、抗張部材の他端側を壁面材から離間する方向に展張して盛土中に埋設して構築していることから、盛土が沈下した場合には、盛土とともに沈下する抗張部材から力が鉤部を介して直接壁面材に作用し、壁面材を変形させてしまうという不都合があった。
【課題を解決するための手段】
【０００５】
この発明は、擁壁壁面を形成する壁面材の背面側に抗張部材の一端側を取り付けて設け、この抗張部材の他端側を前記壁面材から離間する方向に展張して設け、前記壁面材の背面側に盛土を投入転圧して前記抗張部材を埋設する擁壁壁面の抗張部材取付構造において、前記壁面材は、横方向に指向し且つ同一平面内に並列した複数の横線材に縦方向に指向し且つ互いに重ならないように並列した複数の縦線材を固着した溶接金網からなり、この溶接金網の縦線材には背面側に指向した取付具を摺動可能に設け、この取付具には連結具によって前記抗張部材を連結して設けたことを特徴とする。
【発明の効果】
【０００６】
この発明は、壁面材が、横方向に指向し且つ同一平面内に並列した複数の横線材に縦方向に指向し且つ互いに重ならないように並列した複数の縦線材を固着した溶接金網からなり、この溶接金網の縦線材には背面側に指向した取付具を摺動可能に設け、この取付具には連結具によって抗張部材を連結することから、盛土が沈下したときに、この盛土とともに沈下する抗張部材が連結された取付具は、縦線材に沿って下方に摺動することから、壁面材である溶接金網に作用しようとする力を逃がすことができ、よって、補強土壁の構造が盛土の沈下により壁面材に設計以上の力が作用することを回避することができ、壁面材の変形を防止することができるとともに、抗張部材の連結作業を簡単にすることができる。
【発明を実施するための最良の形態】
【０００７】
この発明の擁壁壁面の抗張部材取付構造は、盛土の沈下により壁面材に設計以上の力が作用するのを回避するために、壁面材を溶接金網とし、この溶接金網に摺動可能に設けた取付具によって実現するものである。
以下、図面に基づいてこの発明の実施例を詳細且つ具体的に説明する。
【実施例１】
【０００８】
図１〜図５は、この発明の第１実施例を示すものである。
【０００９】
図５において、２は地盤、４は基礎、６は支持材、８は壁面材、１０は擁壁の壁面、１２は取付機構、１４は抗張部材（グリッド）、１６はアンカ、１８は植生シート、２０は盛土、２２は補強土壁である。
【００１０】
壁面１０は、地盤２の基礎４上に支持材６により支持した壁面材８を上方に順次に接合することにより形成される。この壁面１０を形成する壁面材８の背面側には、取付機構１２により抗張部材１４の一端側を取り付けて設け、この抗張部材１４の他端側を壁面材８から離間する方向に展張してアンカ１６により地盤２に固定し、壁面材８の背面側に植生シート１８を展設して盛土２０を投入転圧し、抗張部材１４を盛土２０中に埋設することにより、複数の土壌層Ｌ１、Ｌ２、Ｌ３…を施工して構築される。
【００１１】
壁面材８は、図４に示す如く、格子状の溶接金網２４からなる。この溶接金網２４は、横方向に指向し且つ同一平面内に並列した複数の横線材２６に縦方向に指向し且つ互いに重ならないように並列した複数の縦線材２８を固着して形成されている。
【００１２】
抗張部材１４は、図３に示す如く、ポリオレフィン樹脂等の材質からなる撓曲可能な板状素材３０に、複数の長孔３２を、複数列で且つ複数段に形成して構成されている。これにより、抗張部材１４には、各隣接する長孔３２・３２間で複数の長帯部３４が形成される。
【００１３】
取付機構１２は、壁面材８となる溶接金網２４の背面側に抗張部材１４を連結するものであり、縦線材２８に上下方向で摺動可能に設けられる（図４の矢印Ｍで示す）。つまり、この取付機構１２は、図３に示す如く、縦線材２８に係止する取付具３６と、この取付具３６に抗張部材１４を連結する連結具３８とからなる。
【００１４】
取付具３６は、溶接金網２４の縦線材２８に上下方向で摺動可能に取り付けられるものであり、図３、図４に示す如く、一本の線材４０が所定に折曲して形成され、つまり、壁面１０の前方側から各縦線材２８に係止される折曲形状の複数の縦線材用係止部４２と、この縦線材用係止部４２に連設して背面側に直線状に延長する各延長部４４・４４と、この各延長部４４・４４の各先端側に連設して壁面１０に沿って指向する抗張部材用係止部４６とからなり、そして、略Ｕ字形状の延長部４４・４４と抗張部材用係止部４６とにより抗張部材１４の一端側の湾曲状に曲げられた長帯部３４を挿入させる挿入空間４８を形成している（図２参照）。
【００１５】
抗張部材１４の一端側は、図１、図２に示す如く、複数の長帯部３４が、湾曲状に曲げられ、挿入空間４８に挿入されて各延長部４４・４４の上方に湾曲空間５０を形成し、この湾曲空間５０内に側方から連結具３８を挿入することで、取付具３６に取り付けられるものである。連結具３８は、図１、図２に示す如く、例えば、板状や棒状に形成されている。
【００１６】
よって、盛土２０が沈下した場合に、この盛土２０とともに沈下する抗張部材１４を連結した取付機構１２の取付具３６が、縦線材２８に沿って下方向に摺動可能となり、壁面材８に作用しようとする力を逃がすことができるものである。
【００１７】
次に、この第１実施例の作用を説明する。
【００１８】
補強土壁２２の構築に際しては、図５に示す如く、地盤２に凹設した基礎４上に壁面材８を上下方向中間部位まで埋設するように水平方向に並べて支持材６により支持して設置し、設置した壁面材８を上下方向中間部位まで埋設する。
【００１９】
そして、図３、図４に示す如く、壁面１０の前方側から溶接金網２４の各縦線材２８に取付具３６の各縦線材用係止部４２を係止し、そして、図２に示す如く、例えば、抗張部材１４の一端側の各長帯部３４を湾曲状に曲げ、この各長帯部３４の湾曲部位を、挿入空間４８に下方から挿入して各延長部４４・４４の上方に湾曲空間５０を形成し、この湾曲空間５０内に側方から連結具３８を挿入することで、抗張部材１４が取付具３６の抗張部材用係止部４６に係止され、よって、縦線材２８には、該縦線材２８に摺動可能に取り付けられた取付具３６及び連結具３８により抗張部材１４が連結される。そして、抗張部材１４の他端側は、壁面材８から離間する方向に展張して設けられ、さらに、アンカ１６により固定して地盤２に設置される。
【００２０】
そして、盛土２０が沈下したときには、抗張部材１４が盛土２０の沈下に伴って下方に移動すると、この抗張部材１４を取り付け且つ縦線材２８に係止された取付具３６が、該縦線材２８に沿って下方に摺動し（図２の矢印Ｍ１の下方で示す）、これにより、壁面材８に設計以上の力が作用することを回避させる。
【００２１】
この結果、壁面材８は、横方向に指向し且つ同一平面内に並列した複数の横線材２６に縦方向に指向し且つ互いに重ならないように並列した複数の縦線材２８を固着した溶接金網２４からなり、この溶接金網２４の縦線材２８には背面側に指向した取付具３６を摺動可能に設け、この取付具３６には連結具３８によって抗張部材１４を連結したことから、盛土２０が沈下したときに、この盛土２０とともに沈下する抗張部材１４が連結された取付具３６は、縦線材２８に沿って下方に摺動することから、壁面材８である溶接金網２４に作用しようとする力を逃がすことができ、よって、補強土壁２２の構造が盛土２０の沈下により壁面材８に設計以上の力が作用することを回避することができ、壁面材８の変形を防止することができるとともに、抗張部材１４の連結作業を簡単にすることができる。
【００２２】
また、取付具３６は、一本の線材４０が所定に折曲して形成され、壁面１０の前方側から縦線材２８に係止される縦線材用係止部４２と、この縦線材用係止部４２に連設して背面側に延長する延長部４４・４４と、この延長部４４・４４に連設して抗張部材１４を係止する抗張部材用係止部４６とからなることにより、取付具３６の製作を容易とし、また、構成が簡単で、廉価とすることができる。
【実施例２】
【００２３】
図６は、この発明の第２実施例を示すものである。
【００２４】
この第２実施例の特徴とするところは、以下の点にある。即ち、取付具３６において、隣接する一方の延長部４４と他方の延長部４４との間には、抗張部材１４の長孔３２内に挿入されて該抗張部材１４を係着する抗張部材用係着部５２を複数形成した。
【００２５】
この第２実施例の構成によれば、抗張部材１４の取付具３６への連結の際に、抗張部材１４の長孔３２を取付具３６の抗張部材用係着部５２に係着するだけで、抗張部材１４を取付具３６に連結することができ、その連結作業が容易になるとともに、連結具等の他の部材を不要とし、部品点数を低減し、構成が簡単で、廉価とすることができる。
【産業上の利用可能性】
【００２６】
壁面材としての溶接金網に摺動可能に取り付ける取付具を、溶接金網に限られず他の物の連結にも適用させることができる。
【図面の簡単な説明】
【００２７】
【図１】第１実施例において抗張部材を取付具に連結した状態の一部平面図である。
【図２】第１実施例において図１のＩＩ−ＩＩ線による断面図である。
【図３】第１実施例において抗張部材を取付具に連結するときの分解した平面図である。
【図４】第１実施例において溶接金網に取付具を取り付けた状態の斜視図である。
【図５】第１実施例において擁壁の断面図である。
【図６】第２実施例において溶接金網に取付具を取り付けた状態の一部平面図である。
【符号の説明】
【００２８】
２  地盤
８  壁面材
１０  壁面
１２  取付機構
１４  抗張部材
２０  盛土
２４  溶接金網
２６  横線材
２８  縦線材
３６  取付具
３８  連結具
４２  縦線材用係止部
４４  延長部
４６  抗張部材用係止部
４８  挿入空間
【図１】
2005155133.tif 000003
【図２】
2005155133.tif 000004
【図３】
2005155133.tif 000005
【図４】
2005155133.tif 000006
【図５】
2005155133.tif 000007
【図６】
2005155133.tif 000008